(57)【要約】【課題】排紙装置において、ユーザの任意のタイミングで簡単にフェンスを移動させることができるようにする。【解決手段】排紙装置１は、用紙Ｓが載置される排紙台１０と、この排紙台１０に載置された用紙Ｓの位置を規制する第１の位置Ｐ１と当該第１の位置Ｐ１から退避した第２の位置Ｐ２とに移動可能なサイドフェンス２０，３０及びエンドフェンス４０（フェンス）と、ユーザにより押圧されるフットペダル５０（被押圧部）と、サイドフェンス２０，３０及びエンドフェンス４０とフットペダル５０とを連結し、フットペダル５０が押圧されることによってサイドフェンス２０，３０及びエンドフェンス４０を第２の位置Ｐ２へ移動させる連結部６０とを備える。【選択図】図３
2019142688.tif 000002
【特許請求の範囲】
【請求項１】
用紙が載置される排紙台と、
前記排紙台に載置された前記用紙の位置を規制する第１の位置と当該第１の位置から退避した第２の位置とに移動可能なフェンスと、
ユーザにより押圧される被押圧部と、
前記フェンスと前記被押圧部とを連結し、前記被押圧部が押圧されることによって前記フェンスを前記第２の位置へ移動させる連結部と
を備えることを特徴とする排紙装置。
【請求項２】
前記フェンスは、前記被押圧部が押圧された状態から押圧されていない状態となったときに前記第２の位置から前記第１の位置に復帰するための復帰手段を有する
ことを特徴とする請求項１記載の排紙装置。
【請求項３】
前記復帰手段は、錘であり、
前記排紙台は、前記錘を吸着する磁石を有する
ことを特徴とする請求項２記載の排紙装置。
【請求項４】
前記被押圧部は、ユーザにより踏まれることで押圧されるフットペダルである
ことを特徴とする請求項１から３のいずれか１項記載の排紙装置。
【発明の詳細な説明】
【技術分野】
【０００１】
本発明は、排紙装置に関する。
【背景技術】
【０００２】
従来、印刷装置には、用紙が載置される排紙台と、この排紙台に載置された用紙の位置を規制するフェンスとを備える排紙装置が配置される。
【０００３】
このような排紙装置において、印刷が終了して用紙の排紙台への載置が終了するとフェンスを傾倒位置に移動させ、排紙台上に用紙が検出されなくなった場合や印刷開始が要求された場合にフェンスを起立位置に移動させる駆動機構が提案されている（例えば、特許文献１参照）。
【先行技術文献】
【特許文献】
【０００４】
【特許文献１】特開２０１２−７６８３１号公報
【発明の概要】
【発明が解決しようとする課題】
【０００５】
上述のようにフェンスを移動させる駆動機構は、モータ及びギアを用いてフェンスを傾倒位置と起立位置とに移動させることになる。そのため、フェンスの駆動可否は、印刷装置の電源のＯＮ・ＯＦＦ状態に依存し、電源がＯＦＦ状態ではフェンスを移動させることができない。更には、印刷が終了して用紙の排紙台への載置が終了すると、用紙の積載状況に関わらずフェンスが傾倒位置に移動するため、用紙が大量に載置されている場合に用紙の飛散を招く可能性がある。
【０００６】
このように、上述の駆動機構を用いると、ユーザの任意のタイミングでフェンスを移動させることができない。
【０００７】
なお、手動で傾倒位置と起立位置とに回転可能なフェンスは公知であるが、ユーザは、印刷が終了した用紙を排紙台から取り出すときには手を使うことになる。そのため、ユーザは、用紙を排紙台から取り出す前にフェンスを傾倒位置に回転させるだけでなく、用紙を取り出した後、例えば用紙を手にした状態で、フェンスを起立位置に戻す作業も要することになる。
【０００８】
本発明の目的は、ユーザの任意のタイミングで簡単にフェンスを移動させることができる排紙装置を提供することである。
【課題を解決するための手段】
【０００９】
１つの態様では、排紙装置は、用紙が載置される排紙台と、前記排紙台に載置された前記用紙の位置を規制する第１の位置と当該第１の位置から退避した第２の位置とに移動可能なフェンスと、ユーザにより押圧される被押圧部と、前記フェンスと前記被押圧部とを連結し、前記被押圧部が押圧されることによって前記フェンスを前記第２の位置へ移動させる連結部とを備える。
【発明の効果】
【００１０】
前記態様によれば、ユーザの任意のタイミングで簡単にフェンスを移動させることができる。
【図面の簡単な説明】
【００１１】
【図１】印刷装置を模式的に示す図である。
【図２】排紙装置を排紙方向に見た図（その１）である。
【図３】排紙装置を排紙方向に見た図（その２）である。
【図４】排紙装置の一部を示す分解斜視図である。
【発明を実施するための形態】
【００１２】
以下、本発明の一実施の形態に係る排紙装置について、図面を参照しながら説明する。
図１は、印刷装置１０１を模式的に示す図である。
【００１３】
図１に示すように、印刷装置１０１は、装置筐体１０２と、給紙部１０３と、搬送部１０４と、印刷部１０５と、操作パネル部１０６と、画像読取部１０７と、制御部１０８と、排紙装置１とを備える。なお、印刷装置１０１は、例えば、インクジェット印刷装置、孔版印刷装置などであるが、その他の印刷装置であってもよい。
【００１４】
装置筐体１０２は、搬送部１０４、印刷部１０５等を収容する。
給紙部１０３は、給紙台１０３ａ及び給紙ローラ１０３ｂを有する。給紙台１０３ａには、印刷前の用紙Ｓが載置される。給紙ローラ１０３ｂは、給紙台１０３ａに載置された用紙Ｓのうち最上部に位置する用紙Ｓを繰り出すスクレーパローラ、及びこのスクレーパローラによって繰り出された用紙Ｓを搬送するピックアップローラを含むとよい。
【００１５】
搬送部１０４は、給紙ローラ１０３ｂによって給紙された用紙Ｓを搬送する。搬送部１０４は、ベルト、ローラなどである。なお、搬送部１０４は、印刷が行われた用紙Ｓを排紙装置１へ排出する。
【００１６】
印刷部１０５は、印刷装置１０１がインクジェット印刷装置である場合には、複数のインクジェットヘッドを有する。また、印刷部１０５は、印刷装置１０１が孔版印刷装置である場合には、孔版原紙（マスタ）の製版を行う製版部、孔版原紙が巻きつけられて回転し用紙Ｓが押し付けられる版胴、使用済みの孔版原紙を収容する排版部などを有する。
【００１７】
操作パネル部１０６は、装置筐体１０２の上部に配置されている。操作パネル部１０６は、印刷装置１０１の各種操作を行うための操作キーを有することで、印刷装置１０１の入力部として機能する。また、操作パネル部１０６は、タッチパネル付きのディスプレイを有する場合には、印刷装置１０１の入力部及び表示部として機能する。
【００１８】
画像読取部１０７は、装置筐体１０２の上部に配置されている。画像読取部１０７は、原稿から画像情報を読み取るスキャナを有する。
【００１９】
制御部１０８は、印刷装置１０１全体の動作を制御する演算処理装置として機能するプロセッサ（例えばＣＰＵ： Central Processing Unit）と、記憶部とを有する。この記憶部は、例えば、ＲＯＭ（Read Only Memory）、ＲＡＭ（Random Access Memory）、ハードディスク装置等である。
【００２０】
図２及び図３は、排紙装置１を排紙方向に見た図である。なお、サイドフェンス２０，３０及びエンドフェンス４０は、図２では、排紙台１０に載置された用紙Ｓの位置を規制する第１の位置Ｐ１にあり、図３では、第１の位置Ｐ１から退避した第２の位置Ｐ２にある。
【００２１】
図４は、排紙装置１の一部（サイドフェンス３０を除く部分）を示す分解斜視図である。
【００２２】
図２及び図３に示すように、排紙装置１は、排紙台１０と、一対のサイドフェンス２０，３０と、エンドフェンス４０と、フットペダル５０と、連結部６０とを備える。一例ではあるが、排紙装置１は、図１に示す装置筐体１０２の内部に収容された状態から装置筐体１０２の外部へ引き出されて使用される。
【００２３】
排紙台１０は、排紙台本体１１と、支点部１２，１３，１４と、図４に示す磁石１５，１６，１７と、を有する。
【００２４】
排紙台本体１１には、用紙Ｓが載置される。この用紙Ｓは、上述のように印刷部１０５によって印刷が行われ、搬送部１０４によって装置筐体１０２の外部（排紙方向）へ排出された用紙Ｓである。
【００２５】
排紙台本体１１の上面である載置面は、用紙幅方向における両端が中心よりも上方に位置する。そのため、用紙Ｓは、排紙台本体１１において、用紙幅方向における両端が中心よりも上方に位置するように湾曲した状態で載置される。
【００２６】
ここで、用紙幅方向は、装置筐体１０２から用紙Ｓが排出される方向である排紙方向に直交する方向である。なお、図１に示す排紙方向は、あくまで一例であり、排紙台本体１１に載置された用紙Ｓの枚数が増えてきた状態では、用紙Ｓは、エンドフェンス４０に突き当たる位置まで飛翔せず、排紙台本体１１に載置された用紙Ｓのうち最上部の用紙Ｓに沿って排紙方向に進むこともある。また、排紙方向は、用紙Ｓの排紙速度によって異なり、例えば、排紙速度が速いほど用紙Ｓがエンドフェンス４０に突き当たる位置が高くなる。
【００２７】
図１の例では、排紙装置１は、用紙Ｓの排紙方向に進むほど排紙台本体１１の載置面が下方に位置するように、水平面に対して傾斜している。但し、排紙台本体１１の載置面は、排紙方向にかけて高さが変化してくともよいし、排紙方向に進むほど上方に位置するように水平面に対して傾斜していてもよい。
【００２８】
図４に示すように、支点部１２，１３，１４は、排紙台本体１１から上方に突出するように設けられた例えば逆Ｕ字状の部材である。支点部１２，１３，１４は、サイドフェンス２０，３０及びエンドフェンス４０のフェンスアーム２２，３２，４２の回転時の支点となる。なお、排紙台本体１１の周縁がフェンスアーム２２，３２，４２の回転時の支点となる場合には、排紙台本体１１が支点部として機能することになる。
【００２９】
図４に示す磁石１５，１６，１７は、排紙台本体１１の上面に設けられ、サイドフェンス２０，３０及びエンドフェンス４０の錘２１ｂ，３１ｂ，４１ｂを吸着する。詳しくは後述するが、図２に示すサイドフェンス２０，３０及びエンドフェンス４０の第１の位置Ｐ１は、支点部１２，１３，１４が挿入される凹部２２ｂ，３２ｂ，４２ｂの位置によって用紙幅方向（サイドフェンス２０，３０）又は排紙方向（エンドフェンス４０）に変動する。そのため、サイドフェンス２０，３０の錘２１ｂ，３１ｂを吸着する磁石１５，１６は、用紙幅方向に長い帯状に設けられている。また、エンドフェンス４０の錘４１ｂを吸着する磁石１７は、排紙方向に長い帯状に設けられている。なお、磁石１５，１６は、排紙方向に２つに分かれて配置されているが、単一の磁石であってもよい。また、サイドフェンス２０，３０の錘２１ｂ，３１ｂを吸着する磁石１５，１６と、エンドフェンス４０の錘４１ｂを吸着する磁石１７とを兼ねる単一の磁石を用いてもよい。
【００３０】
サイドフェンス２０，３０及びエンドフェンス４０は、排紙台１０に載置された用紙Ｓの位置を規制する第１の位置Ｐ１（図２参照）と、この第１の位置Ｐ１から退避した第２の位置Ｐ２（図３参照）とに移動可能なフェンスの一例である。なお、第１の位置Ｐ１と第２の位置Ｐ２とに移動可能なフェンスとしては、サイドフェンス２０，３０及びエンドフェンス４０の計３つのフェンスのうちの１つ又は２つのフェンスであってもよい。
【００３１】
サイドフェンス２０，３０及びエンドフェンス４０は、用紙Ｓの位置を規制するフェンス本体２１，３１，４１と、フェンスアーム２２，３２，４２とを有する。このフェンスアーム２２，３２，４２は、連結部６０に回転可能に固定されている。また、フェンスアーム２２，３２，４２は、フェンス本体２１，３１，４１に回転可能に固定されていることが望ましい。
【００３２】
フェンス本体２１，３１，４１は、アーム固定軸２１ａ，３１ａ，４１ａと、錘２１ｂ，３１ｂ，４１ｂとを有する。なお、エンドフェンス４０のフェンス本体４１は、更に衝撃吸収材４１ｃを有する。
【００３３】
サイドフェンス２０，３０のフェンス本体２１，３１には、排紙台本体１１上に落下す過程の用紙Ｓの下方の空気を逃がすための貫通孔が、用紙幅方向にフェンス本体２１，３１を貫通するように設けられているとよい。また、フェンス本体２１，３１は、用紙幅方向に斜め下方に用紙Ｓ側に突出する突出片が高さ方向に並んで設けられていることで、排紙台本体１１上に落下する過程の用紙Ｓを、用紙幅方向における両端が中心よりも上方に位置するように湾曲させてもよい。
【００３４】
アーム固定軸２１ａ，３１ａ，４１ａは、フェンスアーム２２，３２，４２の一端をフェンス本体２１，３１，４１に回転可能に固定するための軸であり、フェンス本体２１，３１，４１のうち用紙Ｓの位置を規制する面とは反対側の裏面に設けられている。
【００３５】
一例ではあるが、サイドフェンス２０，３０のアーム固定軸２１ａ，３１ａは、それぞれ２つのフェンスアーム２２，２２，３２，３２の一端をフェンス本体２１，３１に回転可能に固定する。一方、エンドフェンス４０のアーム固定軸４１ａは、単一のフェンスアーム４２の一端をフェンス本体２１，３１に回転可能に固定する。すなわち、サイドフェンス２０，３０には、フェンスアーム２２，３２がそれぞれ２つ配置され、エンドフェンス４０には、フェンスアーム４２が１つのみ配置されている。但し、フェンスアーム２２，３２，４２の数は、特に制限されない。
【００３６】
錘２１ｂ，３１ｂ，４１ｂは、フットペダル５０が踏まれた状態（図３参照）から踏まれていない状態（図２参照）となったときに第２の位置Ｐ２から第１の位置Ｐ１に復帰するための復帰手段の一例である。なお、錘２１ｂ，３１ｂ，４１ｂは、例えば、金属材料からなりブロック状又は板状を呈する。
【００３７】
錘２１ｂ，３１ｂ，４１ｂは、フェンス本体２１，３１，４１のうちアーム固定軸２１ａ，３１ａ，４１ａよりも下方に固定されているとよい。また、錘２１ｂ，３１ｂ，４１ｂは、上述の磁石１５，１６，１７によって吸着されるため、フェンス本体２１，３１，４１の底部に位置するとよい。
【００３８】
エンドフェンス４０のフェンス本体４１の衝撃吸収材４１ｃは、フェンス本体４１のうち用紙Ｓの位置を規制する面に設けられており、図１に示す装置筐体１０２から排出される用紙Ｓの先端がフェンス本体４１に衝突する際の衝撃を吸収する。衝撃吸収材４１ｃは、例えばスポンジである。
【００３９】
フェンスアーム２２，３２，４２は、細長い板状を呈し、上述のように一端をフェンス本体２１，３１，４１のアーム固定軸２１ａ，３１ａ，４１ａに回転可能に固定されている。
【００４０】
フェンスアーム２２，３２，４２には、厚さ方向（サイドフェンス２０，３０では排紙方向で、エンドフェンス４０では用紙幅方向。）にフェンスアーム２２，３２，４２を貫通する長孔２２ａ，３２ａ，４２ａが設けられている。この長孔２２ａ，３２ａ，４２ａには、連結部６０のフェンス支持軸６１ａ，６１ｂ，６３ａが挿入されている。これにより、フェンスアーム２２，３２，４２は、連結部６０によって回転可能に固定されている。
【００４１】
フェンスアーム２２，３２，４２の底部には、上述の排紙台１０の支点部１２，２２，３２が挿入される凹部２２ｂ，３２ｂ，４２ｂがそれぞれ複数（図２〜図４の例では３つずつ）設けられている。サイドフェンス２０，３０のそれぞれ複数の凹部２２ｂ，３２ｂは、用紙幅方向に並ぶように設けられている。また、エンドフェンス４０の複数の凹部４２ｂは、排紙方向に並ぶように設けられている。そして、複数の凹部２２ｂ，３２ｂ，４２ｂのいずれかに、排紙台１０に載置される用紙Ｓのサイズに合わせてユーザによって支点部１２，１３，１４が挿入される。
【００４２】
なお、フェンス支持軸６１ａ，６１ｂ，６３ａが挿入される孔が長孔２２ａ，３２ａ，４２ａであるのは、支点部１２，１３，１４が挿入される凹部２２ｂ，３２ｂ，４２ｂがそれぞれ複数設けられているため、支点部１２，１３，１４が挿入される凹部２２ｂ，３２ｂ，４２ｂの位置によってフェンス支持軸６１ａ，６１ｂ，６３ａの長孔２２ａ，３２ａ，４２ａ内での位置が変動するためである。
【００４３】
フットペダル５０は、ユーザにより踏まれることが可能な位置、例えば、印刷装置１０１が設置される設置面の近傍に設けられているとよい。フットペダル５０は、例えば、連結部６０の後述する第２の連結アーム６２と一体に設けられ、第２の連結アーム６２の下端からユーザ側に屈曲して突出する。そのため、フットペダル５０がユーザにより踏まれることで、連結部６０が下降する。なお、フットペダル５０は、ユーザにより押圧される被押圧部の一例である。この被押圧部は、フットペダル５０には限られないが、ユーザの足により押圧されるものであることが望ましい。
【００４４】
連結部６０は、サイドフェンス２０，３０及びエンドフェンス４０と、フットペダル５０とを連結し、フットペダル５０が踏まれることによってサイドフェンス２０，３０及びエンドフェンス４０を第２の位置Ｐ２（図３参照）へ移動させる。
【００４５】
一例ではあるが、連結部６０は、第１の連結アーム６１と、第２の連結アーム６２と、第３の連結アーム６３とを有する。
【００４６】
第１の連結アーム６１は、用紙幅方向に長く且つ用紙幅方向の両端が高くなるように湾曲した弓状を呈し、排紙台本体１１の下方に配置されている。第１の連結アーム６１の両端には、サイドフェンス２０，３０のフェンスアーム２２，３２の長孔２２ａ，３２ａに挿入されるフェンス支持軸６１ａ，６１ｂが設けられている。このフェンス支持軸６１ａ，６１ｂは、排紙方向と平行に延び、サイドフェンス２０，３０のフェンスアーム２２，３２の長孔２２ａ，３２ａに挿入されることで、フェンスアーム２２，３２を回転可能に固定する。
【００４７】
第１の連結アーム６１の用紙幅方向の中心には、第２の連結アーム６２の幅広屈曲部６２ａが挿入される溝６１ｃが設けられている。この溝６１ｃは、図４に示すように、用紙幅方向における幅が底部（排紙方向の奥）で大きくなっている。
【００４８】
第２の連結アーム６２は、高さ方向に長い薄板状を呈し、下端がフットペダル５０に連結され、上端に設けられた幅広屈曲部６２ａの一部が排紙方向に屈曲している。この幅広屈曲部６２ａは、第１の連結アーム６１の溝６１ｃに上方から挿入される。なお、第２の連結アーム６２は、フットペダル５０と別体であってもよい。
【００４９】
第３の連結アーム６３は、排紙方向に長い薄板状を呈し、一端を第２の連結アーム６２に固定され、他端側で上方に向けて湾曲している。第３の連結アーム６３の他端には、エンドフェンス４０のフェンスアーム４２の長孔４２ａに挿入されるフェンス支持軸６３ａが設けられている。このフェンス支持軸６３ａは、用紙幅方向と平行に延び、フェンスアーム４２の長孔４２ａに挿入されることで、フェンスアーム４２を回転可能に固定する。
【００５０】
図１に示す印刷装置１０１の印刷時や待機時には、サイドフェンス２０，３０及びエンドフェンス４０は、フェンスアーム２２，３２，４２が支点部１２，１３，１４を中心として回転可能であるため、サイドフェンス２０，３０及びエンドフェンス４０（特に錘２１ｂ，３１ｂ，４１ｂ）に自重が働くことで図２に示す第１の位置Ｐ１に保持される。
【００５１】
また、サイドフェンス２０，３０及びエンドフェンス４０は、第１の位置Ｐ１にあるとき、図４に示す排紙台１０の磁石１５，１６，１７が錘２１ｂ，３１ｂ，４１ｂを吸着することで、第１の位置Ｐ１に静止した状態で保持される。
【００５２】
印刷が終了して、排紙台本体１１に載置された用紙Ｓをユーザが取り出す際には、ユーザは、フットペダル５０を踏む。これにより、図３に示すように、連結部６０が下降することで支点部１２，１３，１４を中心にフェンスアーム２２，３２，４２が回転し、サイドフェンス２０，３０及びエンドフェンス４０が第２の位置Ｐ２へ移動する。そのため、ユーザが用紙Ｓを取り出しやすくなる。
【００５３】
そして、フットペダル５０がユーザによって踏まれなくなると、サイドフェンス２０，３０及びエンドフェンス４０（特に錘２１ｂ，３１ｂ，４１ｂ）の自重によってフェンスアーム２２，３２，４２が支点部１２，１３，１４を中心に回転するとともに連結部６０が上昇し、サイドフェンス２０，３０及びエンドフェンス４０が図２に示す第１の位置Ｐ１に復帰する。
【００５４】
なお、本実施の形態では、サイドフェンス２０，３０及びエンドフェンス４０は、フットペダル５０が踏まれた状態から踏まれていない状態となったときに第２の位置Ｐ２から第１の位置Ｐ１に復帰するための復帰手段として錘２１ｂ，３１ｂ，４１ｂを有する。この復帰手段としては、例えば、フェンス支持軸６１ａ，６１ｂ，６３ａに設けられてサイドフェンス２０，３０及びエンドフェンス４０を第１の位置Ｐ１へ向けて付勢するねじりバネ等の弾性体であってもよい。或いは、サイドフェンス２０，３０及びエンドフェンス４０が錘２１ｂ，３１ｂ，４１ｂを有さなくともフェンス本体２１，３１，４１の自重などで第１の位置Ｐ１に復帰する場合には、フェンス本体２１，３１，４１自体が復帰手段として機能するといえる。
【００５５】
また、本実施の形態では、錘２１ｂ，３１ｂ，４１ｂを一例とする復帰手段が配置されることが望ましいが、復帰手段が省略される場合には、第２の位置Ｐ２へ移動したサイドフェンス２０，３０及びエンドフェンス４０をユーザが手動で第１の位置Ｐ１に復帰させてもよい。或いは、ユーザがフットペダル５０を踏むごとにサイドフェンス２０，３０及びエンドフェンス４０を第１の位置Ｐ１と第２の位置Ｐ２とに交互に移動するように連結部６０の位置を保持する機構を設けてもよい。
【００５６】
また、本実施の形態では、サイドフェンス２０，３０及びエンドフェンス４０のフェンス本体２１，３１，４１は、特に錘２１ｂ，３１ｂ，４１ｂを有することによる自重で、第２の位置Ｐ２において第１の位置Ｐ１の起立状態と平行な状態にある。しかしながら、第２の位置において、フェンス本体２１，３１，４１は傾いて倒れた状態であってもよい。このようにフェンス本体２１，３１，４１を傾けるように移動させるためには、フェンス本体２１，３１，４１とフェンスアーム２２，３２，４２とが回転不能に固定されている構成又はフェンス本体２１，３１，４１とフェンスアーム２２，３２，４２とが一体である構成や、サイドフェンス２０，３０及びエンドフェンス４０の下端が排紙台本体１１（排紙台１０）から上方に離隔しないように排紙台本体１１に固定された構成を採用するとよい。なお、サイドフェンス２０，３０及びエンドフェンス４０の下端が排紙台本体１１から上方に離隔しないように排紙台本体１１に固定される場合であっても、用紙Ｓのサイズに合わせてサイドフェンス２０，３０及びエンドフェンス４０の位置を可変とするために、サイドフェンス２０，３０及びエンドフェンス４０は排紙台本体１１の載置面に沿ってスライド移動可能であるとよい。また、このようにサイドフェンス２０，３０及びエンドフェンス４０を排紙台本体１１の載置面に沿ってスライド移動可能にするためには、サイドフェンス２０，３０及びエンドフェンス４０は、連結部６０に回転可能に固定されていなくともよい。
【００５７】
以上説明した本実施の形態では、排紙装置１は、用紙Ｓが載置される排紙台１０と、この排紙台１０に載置された用紙Ｓの位置を規制する第１の位置Ｐ１と第１の位置Ｐ１から退避した第２の位置Ｐ２とに移動可能なフェンスの一例であるサイドフェンス２０，３０及びエンドフェンス４０と、ユーザにより押圧力される被押圧部の一例である、ユーザにより踏まれるフットペダル５０と、サイドフェンス２０，３０及びエンドフェンス４０とフットペダル５０とを連結し、フットペダル５０が押圧されることによってサイドフェンス２０，３０及びエンドフェンス４０を第２の位置Ｐ２へ移動させる連結部６０とを備える。これにより、ユーザが例えばフットペダル５０を踏むことによる被押圧部の押圧のみによって、サイドフェンス２０，３０及びエンドフェンス４０を、用紙Ｓの位置を規制する第１の位置Ｐ１から第２の位置Ｐ２へ退避させることができる。そのため、排紙台１０に載置された用紙Ｓの枚数が多く飛散が生じるおそれがある場合にはサイドフェンス２０，３０及びエンドフェンス４０を第２の位置Ｐ２へ退避させない、或いは、ユーザが用紙Ｓを取り出す直前にサイドフェンス２０，３０及びエンドフェンス４０を第２の位置Ｐ２へ退避させるなど、排紙装置１の状況を踏まえたユーザの任意のタイミングで、サイドフェンス２０，３０及びエンドフェンス４０を第２の位置Ｐ２へ退避させることができる。よって、本実施の形態によれば、ユーザの任意のタイミングで簡単にフェンス（サイドフェンス２０，３０及びエンドフェンス４０）を移動させることができる。
【００５８】
また、本実施の形態では、サイドフェンス２０，３０及びエンドフェンス４０は、フットペダル５０が押圧された状態から押圧されていない状態となったときに第２の位置Ｐ２から第１の位置Ｐ１に復帰するための復帰手段の一例である錘２１ｂ，３１ｂ，４１ｂを有する。これにより、ユーザがフットペダル５０を押圧していないときには、サイドフェンス２０，３０及びエンドフェンス４０を、用紙Ｓの位置を規制する第１の位置Ｐ１に復帰させることができる。そのため、サイドフェンス２０，３０及びエンドフェンス４０を第１の位置Ｐ１に復帰させるためにユーザが手動でサイドフェンス２０，３０及びエンドフェンス４０を移動させるなどの手間を省くことができる。更には、ユーザは、用紙Ｓを取り出す際にだけフットペダル５０を押圧すればよくなるため、排紙台１０に載置された用紙Ｓの枚数が多く飛散を招くおそれがある場合などに不必要にサイドフェンス２０，３０及びエンドフェンス４０が第２の位置Ｐ２に留まるのを抑制することができる。
【００５９】
また、本実施の形態では、サイドフェンス２０，３０及びエンドフェンス４０は、フットペダル５０が押圧された状態から押圧されていない状態となったときに第２の位置Ｐ２から第１の位置Ｐ１に復帰するための復帰手段として錘２１ｂ，３１ｂ，４１ｂを有し、排紙台１０は、錘２１ｂ，３１ｂ，４１ｂを吸着する磁石１５〜１７を有する。そのため、サイドフェンス２０，３０及びエンドフェンス４０を第１の位置Ｐ１へ復帰させるために配置される錘２１ｂ，３１ｂ，４１ｂを用いて、サイドフェンス２０，３０及びエンドフェンス４０を第１の位置Ｐ１で静止させることができる。
【００６０】
また、本実施の形態では、ユーザにより押圧される被押圧部として、ユーザにより踏まれることで押圧されるフットペダル５０が用いられている。そのため、ユーザがフットペダル５０を足で踏むだけでサイドフェンス２０，３０及びエンドフェンス４０を第２の位置Ｐ２へ退避させることができる。したがって、ユーザは、用紙Ｓを取り出す手を用いずに、より簡単に排紙装置１を操作することができる。
【００６１】
また、本実施の形態では、サイドフェンス２０，３０及びエンドフェンス４０は、用紙Ｓの位置を規制するフェンス本体２１，３１，４１と、連結部６０に回転可能に固定されたフェンスアーム２２，３２，４２とを有し、排紙台１０は、フェンスアーム２２，３２，４２の回転時の支点となる支点部１２，１３，１４を有し、連結部６０は、フットペダル５０が押圧されて連結部６０が下降することで排紙台１０の支点部１２，１３，１４を中心にフェンスアーム２２，３２，４２を回転させることによって、サイドフェンス２０，３０及びエンドフェンス４０を第２の位置Ｐ２へ移動させる。なお、上述のように、サイドフェンス２０，３０及びエンドフェンス４０は、連結部６０に回転固定されていることに限らず、スライド可能であってもよい。そのため、フットペダル５０が押圧されることによる連結部６０の下降動作を利用した簡素な構成によって、サイドフェンス２０，３０及びエンドフェンス４０を第２の位置Ｐ２へ移動させることができる。
【００６２】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせても良い。このような、発明の趣旨を逸脱しない範囲内において種々の変形や応用が可能であることはもちろんである。以下に、本願の出願当初の特許請求の範囲に記載された発明を付記する。
【００６３】
［付記１］
用紙が載置される排紙台と、
前記排紙台に載置された前記用紙の位置を規制する第１の位置と当該第１の位置から退避した第２の位置とに移動可能なフェンスと、
ユーザにより押圧される被押圧部と、
前記フェンスと前記被押圧部とを連結し、前記被押圧部が押圧されることによって前記フェンスを前記第２の位置へ移動させる連結部と
を備えることを特徴とする排紙装置。
［付記２］
前記フェンスは、前記被押圧部が押圧された状態から押圧されていない状態となったときに前記第２の位置から前記第１の位置に復帰するための復帰手段を有する
ことを特徴とする付記１記載の排紙装置。
［付記３］
前記復帰手段は、錘であり、
前記排紙台は、前記錘を吸着する磁石を有する
ことを特徴とする付記２記載の排紙装置。
［付記４］
前記被押圧部は、ユーザにより踏まれることで押圧されるフットペダルである
ことを特徴とする付記１から３のいずれか記載の排紙装置。
【符号の説明】
【００６４】
１      排紙装置
１０      排紙台
１１      排紙台本体
１２，１３，１４      支点部
１５，１６，１７      磁石
２０，３０      サイドフェンス
４０      エンドフェンス
２１，３１，４１      フェンス本体
２１ａ，３１ａ，４１ａ      アーム固定軸
２１ｂ，３１ｂ，４１ｂ      錘
２２，３２，４２      フェンスアーム
２２ａ，３２ａ，４２ａ      長孔
２２ｂ，３２ｂ，４２ｂ      凹部
４１ｃ      衝撃吸収材
５０      フットペダル
６０      連結部
６１      第１の連結アーム
６１ａ，６１ｂ      フェンス支持軸
６１ｃ      溝
６２      第２の連結アーム
６２ａ      幅広屈曲部
６３      第３の連結アーム
６３ａ      フェンス支持部
１０１      印刷装置
１０２      装置筐体
１０３      給紙部
１０３ａ      給紙台
１０３ｂ      給紙ローラ
１０４      搬送部
１０５      印刷部
１０６      操作パネル部
１０７      画像読取部
１０８      制御部
Ｓ      用紙
【図１】
2019142688.tif 000003
【図２】
2019142688.tif 000004
【図３】
2019142688.tif 000005
【図４】
2019142688.tif 000006